(57)【要約】【課題】  収容スペースを拡張することなく、インパクトのある光の演出と音の演出を同時に興趣できる。【解決手段】  前面側に凹室を有するコーン型のスピーカ１−Ａであって、所定のＬＥＤが設けられた発光手段３−Ａを備え、発光手段３−Ａを凹室２０に取付けた構成としてある。【選択図】    図２
2009239851.tif 000002
【特許請求の範囲】
【請求項１】
前面側に凹室を有するスピーカであって、
所定の発光素子が設けられた発光手段を備え、
前記発光手段を前記凹室に取付けたことを特徴とするスピーカ。
【請求項２】
前記凹室がコーン形状からなる請求項１記載のスピーカ。
【請求項３】
前記発光手段が、スピーカ外縁に面接触する外側基板と、前記凹室に収容され、前記発光素子が実装される内側基板と、を備える請求項１又は２記載のスピーカ。
【請求項４】
少なくとも前記内側基板を、当該内側基板の面方向と当該スピーカが有する振動板の振動方向とが平行となるように取付けた請求項３記載のスピーカ。
【請求項５】
前記外側基板と前記内側基板を、導通可能に接続するとともに、一体に連結する連結手段を備える請求項３又は４記載のスピーカ。
【請求項６】
前記内側基板を格子状に形成した請求項３〜５のいずれか一項に記載のスピーカ。
【請求項７】
前記内側基板を複数設け、当該内側基板に、複数の内側基板が相噛合って係止される切欠部を備える請求項３〜６のいずれか一項に記載のスピーカ。
【請求項８】
前記発光素子を当該スピーカの音出力と同期させて発光させる同期発光手段を備える請求項１〜７のいずれか一項に記載のスピーカ。
【請求項９】
前記振動板が、光を反射可能な反射部材で形成された請求項１〜８のいずれか一項に記載のスピーカ。
【請求項１０】
遊技動作に対応した所定の演出を行う遊技機であって、
前記遊技機が効果音を出力するスピーカを備え、
前記スピーカが、請求項１〜９のいずれか一項に記載のスピーカからなることを特徴とする遊技機。
【発明の詳細な説明】
【技術分野】
【０００１】
本発明は、スピーカとこのスピーカを備える遊技機に関し、特に、発光素子が一体的に取付けられたスピーカとこのスピーカを備える遊技機に関する。
【背景技術】
【０００２】
近年、発光素子が取付けられたスピーカが提案されており、例えば、スピーカの振動板の背後に発光素子を配置し、振動板に光を照射するスピーカがある（特許文献１）。
また、スピーカの前面側に発光素子を設けたスロットマシンなどの遊技機が提案されている（例えば、特許文献２，特許文献３）。
これらのスピーカにより、聴覚的な演出だけでなく、光による視覚的な演出も加わるため、演出効果を向上させることができる。
【０００３】
【特許文献１】特開２００７−２５９２４４号公報
【特許文献２】特開２００２−３５２０９号公報
【特許文献３】特開２００３−１２６３３８号公報
【発明の開示】
【発明が解決しようとする課題】
【０００４】
ところが、上述の発明では、以下のような弊害も生じていた。
例えば、特許文献１記載の発明では、スピーカの振動板の背後から光を照射させることから、振動板全体が照らされるものの、間接光であるため、光度が不足し、特に派手さが要求される遊技機においては、インパクトを欠いてしまい、物足りなさが感じられた。
一方、特許文献２、３記載の発明では、スピーカの前面側に発光素子を配置することで、直接光によるインパクトのある演出が得られるものの、スピーカユニットの奥行きに発光素子や当該発光素子を実装する基板の厚みが加わり、全体の奥行きが増大する。
このため、スピーカユニットを収容するスペースが限られる、パチンコ機やスロットマシンを含む多くの工業製品においては、スピーカユニットの前面側に発光素子を配置したくても、実際には採用までに至らず、諦めざるを得なかった。
また、スピーカの前面側に発光素子を配置すると、スピーカの振動板から伝達される音圧を基板が遮ることになり、音質の低下を招くおそれがあった。
【０００５】
本発明は、上述したような従来の技術が有する問題を解決するために提案されたものであり、スピーカの前面側に、スピーカユニットの収容スペースを拡張することなく、発光手段を設けるとともに、当該発光手段を音質に影響を及ぼさないように取付けたスピーカとこのスピーカを備える遊技機の提供を目的とする。
【課題を解決するための手段】
【０００６】
上記目的を達成するため、本発明のスピーカは、前面側に凹室を有するスピーカであって、所定の発光素子が設けられた発光手段を備え、前記発光手段を前記凹室に取付けた構成としてある。
【０００７】
また、本発明の遊技機は、遊技動作に対応した所定の演出を行う遊技機であって、前記遊技機が効果音を出力するスピーカを備え、前記スピーカが、本発明のスピーカからなる構成とすることができる。
【発明の効果】
【０００８】
本発明のスピーカとこのスピーカを備える遊技機によれば、収容スペースを拡張することなく、インパクトのある光の演出と音の演出を同時に興趣できる。
【発明を実施するための最良の形態】
【０００９】
以下、本発明に係るスピーカとこのスピーカを備える遊技機の好ましい実施形態について、図を参照して説明する。
［スピーカ］
図１〜図８は、本実施形態に係るスピーカ１を示す図である。
各図における本実施形態のスピーカ１（Ａ〜Ｃ）は、円錐形状（コーン形状）の凹室を有するコーン型のスピーカユニット２に、発光手段３（Ａ〜Ｃ）を設けた構成となっている。
本実施形態では、発光手段３が異なる３つのスピーカ１（Ａ〜Ｃ）について説明する。
各図において適用するスピーカユニット２は、同一規格のコーン型スピーカからなり、フェライトマグネットが発生する磁力線を、プレートとヨークを介して、周回させる外磁型の磁気回路構成を有し、特に中高域の音域特性の優れた口径約８０ｍｍからなるダイナミックスピーカとなっている。
【００１０】
具体的には、本実施形態のスピーカユニット２は、通常のスピーカユニットと同様、フレーム２１、フレーム２１から延出するフランジ部２１ａ、ヨーク２２、プレート２３、マグネット２４、ボイスコイル２５、ダンパー２６、振動板として機能し、前後方向に振動するコーン２７などから構成されており、ボイスコイル２５の銅線は、端子板２８に接続され、この端子板２８に音声信号を入力することで、当該スピーカユニット２を駆動制御することができるようになっている。
また、コーン２７の前面側には、発光手段３が収容される凹室２０（例えば、最大深さ約１２ｍｍ）が形成されている。
【００１１】
なお、本発明に適用するスピーカユニット２を選定するにあたり、スピーカの前面側に発光手段３が収容可能な凹室２０が形成されていれば足り、特にスピーカが有する規格特性には制約されるものではない。
また、ホーン型スピーカは勿論のこと、ドーム型スピーカであっても、発光手段が収容可能な凹室２０が形成されていれば、本発明のスピーカユニットとして適用することができる。
また、本実施形態の発光手段３（Ａ〜Ｃ）は、発光素子として使用するＬＥＤが複数実装され、各ＬＥＤを点灯制御可能な所定のプリントパターンが形成された基板や複数の基板を連結する連結手段などから構成されている。
以下に、各スピーカ１（Ａ〜Ｃ）について詳述する。
【００１２】
［スピーカ１−Ａ］
図１は、本発明の一実施形態に係るスピーカ１−Ａを示す正面図であり、図２は、スピーカ１−Ａの断面図である。
また、図３は、スピーカ１−Ａの組立斜視図である。
各図に示すように、スピーカ１−Ａは、上述した構成からなるスピーカユニット２と、発光手段３−Ａから構成されている。
発光手段３−Ａは、後述する発光手段３−Ｂ，３−Ｃも同様であるが、スピーカユニット２のフランジ部２１ａに固着される外側基板３１と、コーンの凹室に収容され、複数のＬＥＤが実装された内側基板３２と、各基板を連結する連結手段などから構成されている。
【００１３】
外側基板３１は、外形をスピーカユニット２の外縁であるフランジ部２１ａとほぼ等しくし、スピーカユニット２の口径と同じ開口を有するように形成されている。
また、外側基板３１は、フランジ部２１ａ側にパターン面を形成しない片面基板（約１．６ｔ）からなり、フランジ部２１ａ（スピーカユニット２外縁）に面接触するとともに、ネジ止めや接着により固着されるようになっている。
外側基板３１には、後方に突出するコネクタ３１ａが設けられ、各ＬＥＤを点灯制御する制御信号が入力されるようになっている。
さらに、外側基板３１の表面（パターン面）には、ゴム製のシールド３１ｂが固設してある。シールド３１ｂは、スピーカ後方への音の回り込みを防止するためのもので、一般的なスピーカユニットの口径外周に常設されているものである。
また、このシールド３１ｂは、スピーカ１−Ａの前面側に導体が設置された場合でも、パターン面を当該導体と非接触状態とし、短絡ショートを防止できるようになっている。
【００１４】
また、外側基板３１には、コーン２７の中央に向かって延出する六つの突出部３１ｃが形成され、この突出部３１ｃに内側基板３２を接合することで、内側基板３２が揺動不能に支持されるようになっている。
このように外側基板３１を、フランジ部２１ａ（スピーカユニット２外縁）に面接触させるとともに、フランジ部２１ａに固着させることで、スピーカユニット２の奥行きの増加を最小限に止めることができる。
すなわち、スピーカユニット２の奥行きに対する本実施形態のスピーカ１−Ａの全体の奥行きは、一般的なスピーカユニットの口径外周に常設されているシールド３１ｂの厚みを除外すると、単に、外側基板３１の厚み（１．６ｔ）分が加わるに過ぎず、スピーカユニット２の奥行きを僅かに増加させるだけで、発光手段３をスピーカユニット２の前面側に設けることができるようになっている。
【００１５】
一方、内側基板３２は、六枚の片面基板で形成され、各内側基板３２には、例えば、赤、緑、青の三色の円筒型のＬＥＤが一灯ずつ所定の間隔をもってライトアングル実装されている。
また、各内側基板３２は、連結された状態で、上記の突出部３１ｃに支持されるようになっている。
各内側基板３２と各突出部３１ｃとは、各内側基板３２の端部がコーン２７の中央に向かうよう、導電性のライトアングルピン３３で半田接合されている（連結手段）。
そして、上記のコネクタ３１ａから入力される制御信号は、このライトアングルピン３３を介して、各内側基板３２に伝送され、各ＬＥＤを点灯制御できるようになっている。
また、内側基板３２と各突出部３１ｃをライトアングルピン３３で半田接合することで、外側基板３１と内側基板３２とが、一体に連結される。
これにより、外側基板３１と内側基板３２とが揺動不能に一体に固設される。
【００１６】
また、各図に示すように、各内側基板３２は、各基板面がコーン２７の振動方向と平行となるとともに、コーン２７の凹室２０に収容されるように取付けられている。
なお、本実施形態では、コーン２７の最大深さ（例えば、約１２ｍｍ）を考慮すると、φ３〜φ５程度の円筒型のＬＥＤを実装可能な幅を有する基板を収容できる。
また、各内側基板３２は、コーン２７が最大振幅となる場合に、接触しない間隙を設けて取付けてある。
このように各内側基板３２を取付けることにより、各基板面がスピーカ１−Ａの前面から出力される音圧の伝達を遮るように作用しないため、音質の低下が抑止されるとともに、スピーカユニット２が収容されるスペースを拡張することなく、スピーカユニット２を音出力手段のみならず発光手段としても機能させることができる。
【００１７】
さらに、本実施形態では、コーン２７の中央に向かう、各内側基板３２の端部を空中で連結するスパイダ３４が設けられてある。
スパイダ３４は、図３に示すように、半田濡れ性が良好なリング状の導電体で形成され、各基板が嵌入されるとともに、半田接合されるように構成されている。その結果、各内側基板３２がスパイダ３４を介して一体となるとともに、外側基板３１との取付け強度をさらに増加させることができる。これにより、発光手段３−Ａ全体の剛性が確保され、スピーカユニット２の振動によるビビリなどの異音の発生を抑えることができるようになっている。
【００１８】
また、本実施形態のスピーカユニット２のコーン２７は、白色の紙パルプで形成されている。
これにより、ＬＥＤからコーンに向かって回折する光が、コーン２７に反射するため、ＬＥＤから照射される光をすべて前方に集光することができるようになっている。
また、コーン２７の円錐形状を利用し、ＬＥＤをコーン２７側に向けて配置することもできる。
これにより、ＬＥＤから照射される光をコーン２７に反射させ、スピーカ１Ａの前方に集光することもできる。
なお、本実施形態では、コーン２７を白色の紙パルプで形成したが、白色の塗料を塗付することもできるし、さらに反射効率の良い材料とすることもできる。
また、材質は、紙パルプに限らず、ＰＰ（ポリプロピレン），カーボンなどとすることもできる。
【００１９】
［スピーカ１−Ｂ］
次に、図４は、本発明の一実施形態に係るスピーカ１−Ｂを示す正面図であり、図５は、スピーカ１−Ｂの断面図である。
また、図６は、スピーカ１−Ｂの内側基板３２の連結図である。
各図に示すように、スピーカ１−Ｂは、上述した構成からなるスピーカユニット２と、発光手段３−Ｂから構成されている。
発光手段３−Ｂは、上述の発光手段３−Ａと同様、スピーカユニット２のフランジ部２１ａに固着される外側基板３１と、コーン２７の凹室に収容され、複数のＬＥＤが実装された内側基板３２などから構成されている。
外側基板３１は、上述のスピーカ１−Ａの外側基板３１と突出部の形状のみ異なり、他は同一の構成となっている。
【００２０】
一方、内側基板３２は、スピーカ１−Ｂの前方に向けて発光する側面発光型のＬＥＤが複数実装された縦六枚の基板と、導電性の連結ピン３６（上下）と、縦六枚の基板と相噛み合って格子状に連結される横四枚（中段）の基板とで構成されている。
そして、これらの格子状に結合された内側基板３２と突出部３１ｃとは、導電性のライトアングルピン３３で半田接合されることで、外側基板３１と一体となるように構成されている（連結手段）。
また、このライトアングルピン３３を介して、コネクタ３１ａから入力される制御信号が、各内側基板３２に伝送され、計二十六個のＬＥＤを点灯制御できるようになっている。
さらに、連結ピン３６が、縦四枚の基板を貫通するとともに、各基板と半田接合されることで、格子状に連結された内側基板３２の剛性を向上させるとともに、縦四枚の基板の所定パターン（例えば、ＧＮＤ）を同電位としている。
このように、各基板を格子状に連結することで、限られたコーン２７の領域を最大限に利用し、数多くの発光素子（ＬＥＤ）を配置することができる。
【００２１】
また、内側基板３２の各基板は、図６に示すように、縦六枚の基板と横四枚（中段）の基板が相噛み合って格子状に連結されている。
具体的には、図６（ａ）に示すように、各基板３２に、相噛合って係止される切欠部３２ａが設けられ、この切欠部３２ａ同士を噛合わせるとともに、切欠部３２ａが噛合わされた連結部３２ｂを半田接合することで、各基板が強固に係止されるようになっている（図６（ｂ）参照）。
このように構成することで、格子状に連結された内側基板３２の全体の高さを一の基板の幅とすることができるため、限られたコーン２７の深さを最大限に利用し、数多くの基板を凹室２０に収容することができる。
また、内側基板３２の各基板は、各基板面がコーン２７の振動方向と平行となるとともに、コーン２７の凹室２０に収容されるように取付けられている。
このように内側基板３２を取付けることにより、各基板面がスピーカ１−Ｂの前面から出力される音圧の伝達を遮るように作用しないため、音質の低下が抑止されるとともに、スピーカユニット２が収容されるスペースを拡張することなく、スピーカユニット２を音出力手段のみならず発光手段としても機能させることができる。
【００２２】
なお、本実施形態では、内側基板３２の各基板は、格子状に連結されるとともに、各基板面がコーン２７の振動方向と平行となる構成としたが、内側基板３２をＬＥＤが制御可能な最小限の基板幅を有する多数の格子孔が設けられた格子状に形成するとともに、後述するスピーカ１−Ｃの内側基板３２のように、基板面がコーン２７の振動方向と直交するように取付けることもできる。
これにより、基板幅を最小幅としているため、音質が低下することを回避できるとともに、数多くの発光素子（ＬＥＤ）を配置することができる。
【００２３】
［スピーカ１−Ｃ］
次に、図７は、本発明の一実施形態に係るスピーカ１−Ｃを示す正面図であり、図８は、スピーカ１−Ｃの断面図である。
各図に示すように、スピーカ１−Ｃは、前述した構成からなるスピーカユニット２と、発光手段３−Ｃから構成されている。
発光手段３−Ｃは、前述の発光手段３−Ａと同様、スピーカユニット２のフランジ部に固着される外側基板３１と、コーン２７の凹室２０に収容され、複数の面発光型の３色ＬＥＤが実装された内側基板３２などから構成されている。
外側基板３１は、前述のスピーカ１−Ａの外側基板３１と突出部の形状のみ異なり、他は同一の構成となっている。
【００２４】
内側基板３２は、３色の発光素子が内蔵された３色ＬＥＤを実装可能な最小幅（約５ｍｍ）を有するドーナツ形の基板で構成され、突出部３１ｃと各３色ＬＥＤを点灯制御可能に導電性のクランクピン３５で外側基板３１と一体となるように半田接合されている（連結手段）。
また、内側基板３２は、コーン２７の凹室２０に収容されるように取付けられている。
これにより、スピーカユニット２が収容されるスペースを拡張することなく、スピーカユニット２を音出力手段のみならず発光手段としても機能させることができる。
なお、スピーカ１−Ａとスピーカ１−Ｂと異なり、内側基板３２は、当該基板面がコーン２７の振動方向と直交しているが、基板幅を最小幅としているため、音質が低下することはない。
【００２５】
以上のように、本実施形態のスピーカ１（Ａ〜Ｃ）によれば、発光手段３となる発光素子（ＬＥＤ）が実装された基板が、スピーカ１の前面から出力される音圧の伝達を遮るように作用しないため、音質の低下が抑止されるとともに、スピーカユニット２が収容されるスペースを拡張することなく、スピーカユニット２を音出力手段のみならず発光手段としても機能させることができる。
また、スピーカ１（Ａ〜Ｃ）の前面側に発光素子（ＬＥＤ）を配置することで、直接光によるインパクトのある演出が得られる。
【００２６】
[スロットマシン]
次に、本発明に係るスピーカを備える遊技機について説明する。
ここで、以下の実施形態に示す本発明に係る遊技機は、遊技媒体としてメダルを用いて遊技を行うスロットマシンとしてある。
このスロットマシン５０は、従来のスロットマシンと同様、プログラムに制御されたコンピュータにより動作するようになっている。プログラムは、コンピュータの各構成要素に指令を送り、所定の制御、例えば、リールの回転開始，リールの停止制御，内部抽せん等を行わせる。このように、本発明にかかるスロットマシンにおける各制御，動作は、プログラムとコンピュータとが協働した具体的手段により実現されるものである。なお、プログラムは予めＲＯＭ等の記録媒体に格納され、コンピュータに実装された記録媒体から当該コンピュータにプログラムを読み込ませて実行される。
【００２７】
図９〜図１２を参照して、本発明の一実施形態に係るスロットマシンの構成について説明する。
図９は、本発明の一実施形態に係るスロットマシンを示す概略正面図であり、図１０は、本発明の一実施形態に係るスロットマシンのスピーカの取付け状態を示す断面図である。
図１１は、本発明の一実施形態に係るスロットマシンの制御構成を示す概略ブロック図である。
これらの図に示すように、本実施形態のスロットマシン５０は、従来のスロットマシンと同様に、スロットマシン５０に備えられた複数のリールを回転させることによって遊技媒体であるメダルを獲得することができる回胴式遊技機を構成している。
【００２８】
具体的には、本実施形態のスロットマシン５０は、内部がマイクロコンピュータ等で構成された制御部６０及び必要な機械，装置等を収納可能な筐体状に構成されており、筐体の前面側が前扉５１によって開閉可能に覆われている。
前扉５１は、スロットマシン５０の筐体にヒンジ等を介して開閉自在に取り付けられる扉体で、この前扉５１に遊技操作に係る各装置等が備えられてスロットマシン５０の正面部を構成している。
【００２９】
前扉５１の中央右側には、スロットマシン遊技に使用するメダルを投入するメダル投入口５２が配置され、所定数（例えば、３枚）のメダルが投入されることで、メダルが検出され、ゲーム可能な状態にすることができる。
前扉５１の中央左側には、リールの回転を始動させるスタートレバー５３が設けられ、遊技者により、スタートレバー５３が操作されることで、スタート信号が出力されるようになっている。
そして、ゲーム可能な状態において、このスタート信号が出力されることで、スロットマシン遊技が開始され、リールが回転開始する。
前扉５１の中央部には、各リールに対応して停止ボタン５４ａ，５４ｂ，５４ｃが設けられており、遊技者により、各停止ボタン５４が押下操作されることで、回転している各リールを停止させることができるようになっている。
【００３０】
前扉５１の中央上側には表示窓５５が設けられており、停止状態にある各リールに表された縦方向に連続する３つの図柄が、当該表示窓５５を介して視認できるようになっている。
前扉５１の下部には、メダル払出口５６が設けられ、メダルが当該メダル払出口５６から払出されるようになっている。
【００３１】
前扉５１の上側中央には、液晶ＴＶ５７が取付けられ、スロットマシン遊技の進行に応じた視覚的な演出を行うようになっている。
また、液晶ＴＶ５７の左右には、本実施形態のスピーカ１−Ａが内蔵されている。
図１０は、本実施形態のスピーカ１−Ａの取付け状態を示す断面図である。
同図に示すように、本実施形態のスピーカ１−Ａは、スピーカユニット２の前面側に発光手段３を設けても、スピーカユニット２に対して、一般的なスピーカユニットの口径外周に常設されているシールド３１ｂの厚みを除外すると、単に、外側基板３１の厚み（１．６ｔ）分が加わるに過ぎず、既存のスピーカユニット２を収容するためのスペースとして確保されているスピーカボックス５１ａにそのまま収容できるようになっている。
このように、スピーカボックス５１ａを拡張することなく、既存のスロットマシン５０の前扉５１をそのまま利用できるため、製造コストの低減が図られる。
また、従来のスピーカと異なり、スピーカ１−Ａの前面側が発光するため、スロットマシン全体の発光面積を拡張することができる。
【００３２】
次に、図示しない筐体内部には、リール、各リールを回転させる図示しないステッピングモータ及び回転位置を検出するセンサなどを備えるドラムユニット５８が設けられている。
さらに、筐体の下部には、メダルを貯留・払出するメダル払出装置５９が設けられ、各リールに表された縦方向に連続する３つの図柄の組合せが所定の組合せで停止表示された場合、所定数のメダルが上記のメダル払出口５６から払出されるようになっている。
【００３３】
そして、筐体内部の上側には、上記の各装置を制御することでスロットマシン遊技を管理し、制御手段として機能する制御部６０が設けられているとともに、制御部６０からの指令により、前述の液晶ＴＶ５７やスピーカ１−Ａを制御する演出制御部７０が設けられている。
【００３４】
図１１に示すように、制御部６０は、上記のメダル投入口５２に設けられた検出センサ５２ａによる投入されたメダルの検出、スタートレバー５３操作の検出に基づき、ドラムユニット５８に設けられたリールを回転制御するとともに、所定の内部抽せんを行い、抽せん結果と停止ボタン５４の操作タイミングに応じて、各リールを停止制御するようになっている。
そして、停止表示されたリールおける図柄の組合せに応じて、メダル払出装置５９を駆動制御し、所定数のメダルが払出されるようになっている。
また、制御部６０は、上記のようなスロットマシン遊技の進行に応じて、演出制御部７０に指令を送信し、液晶ＴＶ５７やスピーカ１−Ａを制御することで、液晶ＴＶ５７やスピーカ１−Ａが遊技動作に対応した所定の演出を行うようになっている。
【００３５】
演出制御部７０は、制御部６０と同様、ＣＰＵ、ＲＯＭ，ＲＡＭなどの記憶部、Ｉ／Ｏポート等のコンピュータ、及び本実施形態のスピーカ１−Ａの表示手段３（ＬＥＤ）を駆動するドライバや、スピーカユニット２を駆動するアンプなどで構成されている。
本実施形態の演出制御部７０により制御されるスピーカ回路図を二つの例を挙げて説明する。
図１２（ａ）は、スピーカユニット２と発光手段（ＬＥＤ）を制御する制御信号が別系統の場合の回路図であって、発光手段である発光色別（赤Ｒ，緑Ｇ，青Ｂ）に設けられた複数のＬＥＤを制御する場合の一実施形態の回路図を示す。
各色のＬＥＤは、共通端子であるコモン端子３２１に接続されるとともに、所定の制限抵抗３１２ａ〜３１２ｃを介して、制御端子３１１ａ〜３１１ｃに制御信号を入力することで、点灯制御可能となっている。
そして、同図の例では、特にスピーカユニット２は図示していないが、各色のＬＥＤを制御する制御信号は、スピーカユニット２に入力される信号と別系統となっている。これにより、スピーカユニット２とＬＥＤを異なるタイミングで駆動することができ、演出の幅を広げることができる。
【００３６】
また、図１２（ｂ）は、図１２（ａ）と異なる一実施形態の回路図であって、スピーカユニット２と発光手段（ＬＥＤ）を制御する制御信号が同一系統の場合の回路図である。
同図の例では、制御端子３１１から入力された制御信号は、所定のトランス７０ａを介して、スピーカユニット２を駆動制御するとともに、さらに、ブリッジ回路７０ｂにより全波整流され、さらに、制限抵抗３１２により分圧され、各ＬＥＤを点灯制御するようになっている（同期発光手段）。これにより、各ＬＥＤは、スピーカユニット２の駆動タイミングと同期して点灯するようになっている。
これにより、音と光が連動した演出を行うことができる。
また、全波整流により、ＬＥＤを音の出力時間に対応した時間発光させることができる。
さらに、ブリッジ回路７０ｂの後段に平滑回路を加えることで、ＬＥＤの発光輝度を安定できることは言うまでもない。
【００３７】
なお、制御端子３１１から入力された制御信号により、スピーカユニット２と各ＬＥＤを同時に制御することができるため、第一実施形態で示したスピーカユニット２を駆動制御する端子板２８と、各ＬＥＤを点灯制御するコネクタ３１ａを一の端子にまとめることもできる。
例えば、各ＬＥＤを点灯制御するための新たなケーブルを設け、外側基板３１と接続するとともに、当該ケーブルをスピーカユニット２の端子板２８に接続することで、端子板２８に、制御信号の入力を集約することもできる。
これにより、コネクタ３１ａが不要となりコストの低減を図ることができる。
【００３８】
以上述べたように、本実施形態のスロットマシン５０では、既存のスピーカユニット２を収容するスペースを用いて、スピーカユニット２の前面側に発光手段３を設けることができる。これにより、スピーカユニット２の前面側に発光手段を設けるための新たなスペースを確保する必要がなくなり、製造コストの低減が図れるとともに、光の演出範囲を拡張できる。
【００３９】
以上、本発明のスピーカとこのスピーカを備える遊技機の好ましい実施形態について説明したが、本発明に係るスピーカとこのスピーカを備える遊技機は上述した実施形態にのみ限定されるものではなく、本発明の範囲で種々の変更実施が可能であることは言うまでもない。
例えば、本実施形態では、遊技機としてスロットマシンとしたが、パチンコ機とすることもできる。
また、本発明のスピーカは、汎用のスピーカユニットに本発明の発光手段を装着することで構成することもできる。
これにより、製品コストの低く抑えた発光するスピーカを提供することもできる。
【産業上の利用可能性】
【００４０】
本発明は、スペースが限られた部位に取付け可能なスピーカとして広く利用することができる。
【図面の簡単な説明】
【００４１】
【図１】本発明の一実施形態に係るスピーカ１−Ａを示す正面図である。
【図２】本発明の一実施形態に係るスピーカ１−Ａを示す断面図である。
【図３】本発明の一実施形態に係るスピーカ１−Ａの組立斜視図である。
【図４】本発明の一実施形態に係るスピーカ１−Ｂを示す正面図である。
【図５】本発明の一実施形態に係るスピーカ１−Ｂを示す断面図である。
【図６】本発明の一実施形態に係るスピーカ１−Ｂの内側基板の連結図であり、（ａ）は、組立図であり、（ｂ）は、斜視図である。
【図７】本発明の一実施形態に係るスピーカ１−Ｃを示す正面図である。
【図８】本発明の一実施形態に係るスピーカ１−Ｃを示す断面図である。
【図９】本発明の一実施形態に係るスロットマシンの概略正面図である。
【図１０】本発明の一実施形態に係るスロットマシンに備えるスピーカの取付け状態を示す断面図である。
【図１１】本発明の一実施形態に係るスロットマシンの制御構成を示す概略ブロック図である。
【図１２】本発明の一実施形態に係るスロットマシンに備えるスピーカの回路図を示し、（ａ）は、発光手段を制御する回路図であり、（ｂ）は、発光手段とスピーカユニットを制御する回路図である。
【符号の説明】
【００４２】
１（Ａ〜Ｃ）  スピーカ
２  スピーカユニット
３（Ａ〜Ｃ）  発光手段
３１  外側基板
３２  内側基板
５０  スロットマシン
【図１】
2009239851.tif 000003
【図２】
2009239851.tif 000004
【図３】
2009239851.tif 000005
【図４】
2009239851.tif 000006
【図５】
2009239851.tif 000007
【図６】
2009239851.tif 000008
【図７】
2009239851.tif 000009
【図８】
2009239851.tif 000010
【図９】
2009239851.tif 000011
【図１０】
2009239851.tif 000012
【図１１】
2009239851.tif 000013
【図１２】
2009239851.tif 000014